(57)【要約】【課題】煩雑な操作を行うことなく、現在地の住所を文字列として入力することができる携帯端末装置、および携帯端末装置のデータ処理方法を提供する。【解決手段】現在位置を検出するＧＰＳ無線部２５と、表示部２４と、ＧＰＳ無線部２５で検出された現在位置を基に当該現在位置に関して第１の文字情報を取得する取得部と、入力されたかな文字列を漢字文字列に変換する処理を行い、予め規定された第２の文字情報が漢字変換対象として入力されると、取得部２８１が取得した第１の文字情報を第２の文字情報の変換候補として表示部２４に表示させるよう制御する制御部とを設ける。【選択図】図１
2005165460.tif 000002
【特許請求の範囲】
【請求項１】
現在位置を検出する検出手段と、
表示手段と、
入力されたかな文字列を漢字文字列に変換する処理を行う制御手段と、
前記検出手段で検出された現在位置を基に当該現在位置に対する第１の文字情報を取得する取得手段と、を備え、
前記制御手段は、予め規定された第２の文字情報が漢字変換対象として入力されると、前記取得手段が取得した前記第１の文字情報を前記第２の文字情報の変換候補として前記表示手段に表示させるよう制御することを特徴とする
携帯端末装置。
【請求項２】
前記第１の文字情報は、少なくとも前記検出手段で検出された現在位置の住所、および前記検出された現在位置を示す名称のいずれかであり、
前記第２の文字情報は、位置に関連した意味を示すかな文字列である、ことを特徴とする
請求項１に記載の携帯端末装置。
【請求項３】
前記検出手段はグローバル・ポジショニング・システム（ＧＰＳ）衛星からのＧＰＳ信号を基に前記現在位置を検出し、
前記取得手段は、前記検出手段が検出した現在位置を示す緯度経度情報と前記第１の文字情報としての住所を対応付ける住所変換情報を基に、前記検出手段が検出した現在位置に対応する住所を取得する、ことを特徴とする
請求項１に記載の携帯端末装置。
【請求項４】
前記検出手段はグローバル・ポジショニング・システム（ＧＰＳ）衛星からのＧＰＳ信号を基に前記現在位置を検出し、
前記検出手段が検出した現在位置を示す緯度経度情報と、前記緯度経度情報に対応する前記住所を提供する情報提供装置から提供された住所を対応付ける住所変換情報を記憶する記憶手段を有し、
前記取得手段は、前記記憶手段が記憶する住所変換情報を基に、前記検出手段が検出した現在位置に対応する住所を取得する、ことを特徴とする
請求項１に記載の携帯端末装置。
【請求項５】
前記取得手段は、前記記憶手段が記憶する住所変換情報に含まれる緯度経度情報と、前記検出手段が検出した前記現在位置に対応する緯度経度情報との差が、予め設定された範囲内の場合には、前記記憶手段が記憶する住所変換情報に基づいて前記検出手段が検出した現在位置に対応する住所を取得する、ことを特徴とする
請求項４に記載の携帯端末装置。
【請求項６】
携帯端末装置のデータ処理方法であって、
検出された現在位置を基に当該現在位置に対する第１の文字情報を取得する第１のステップと、
予め規定された第２の文字情報が漢字変換対象として入力されると、前記第１のステップで取得した前記第１の文字情報を前記第２の文字情報の変換候補として表示させる第２のステップと、を有することを特徴とする
携帯端末装置のデータ処理方法。
【発明の詳細な説明】
【技術分野】
【０００１】
本発明は、例えば、電子メールの文章作成や、ウェブページへの書込み時の文章作成などに使用されるかな文字列を漢字文字列に変換する機能を有する携帯電話、および携帯端末装置のデータ処理方法に関する。
【背景技術】
【０００２】
従来、例えば電子メール機能やメモ機能等の文章作成機能を備えた携帯端末装置、例えば携帯電話が知られている（例えば、特許文献１参照）。
この携帯電話において例えば電子メールの文章を作成する場合には、携帯電話のテンキーやファンクションキー等の入力装置を操作して文字入力を行う。具体的には、例えば入力された文字列と、この文字列に予め関連付けられている変換候補文字列とを記憶する辞書を備え、入力装置から入力された文字列に基づいて単語辞書を検索し、この検索結果を基に複数の変換候補文字列を表示部に表示させ、ユーザは表示部に表示された変換候補文字列から、所望の文字列を選択することで高速な文字入力を行う。
【特許文献１】特開２００３−２９６３２０号公報
【発明の開示】
【発明が解決しようとする課題】
【０００３】
ところで、上述した携帯端末装置において、例えば現在地の住所を知らないユーザが、現在地の住所を電子メールにて知人等の情報処理装置宛に送信させる場合に、まずユーザは現在地の住所を調べ、その現在地の住所をキーボードを操作して文字列として入力し、漢字変換を行わせて現在地の住所を表示させた後、電子メールにて送信させるという煩雑な操作を行う必要がある。このため、煩雑な操作を行うことなく、現在地の住所を文字列として入力することができる携帯端末装置が望まれている。
【０００４】
本発明は、かかる事情に鑑みてなされたものであり、その目的は、煩雑な操作を行うことなく、現在地の住所を文字列として入力することができる携帯端末装置、および携帯端末装置のデータ処理方法を提供することにある。
【課題を解決するための手段】
【０００５】
前記目的を達成するために、本発明の第１の観点の携帯端末装置は、現在位置を検出する検出手段と、表示手段と、入力されたかな文字列を漢字文字列に変換する処理を行う制御手段と、前記検出手段で検出された現在位置を基に当該現在位置に対する第１の文字情報を取得する取得手段と、を備え、前記制御手段は、予め規定された第２の文字情報が漢字変換対象として入力されると、前記取得手段が取得した前記第１の文字情報を前記第２の文字情報の変換候補として前記表示手段に表示させるよう制御することを特徴とする。
【０００６】
好適には、前記第１の文字情報は、少なくとも前記検出手段で検出された現在位置の住所、および前記検出された現在位置を示す名称のいずれかであり、前記第２の文字情報は、位置に関連した意味を示すかな文字列である、ことを特徴とする。
【０００７】
また、好適には、前記検出手段はグローバル・ポジショニング・システム（ＧＰＳ）衛星からのＧＰＳ信号を基に前記現在位置を検出し、前記取得手段は、前記検出手段が検出した現在位置を示す緯度経度情報と前記第１の文字情報としての住所を対応付ける住所変換情報を基に、前記検出手段が検出した現在位置に対応する住所を取得する、ことを特徴とする。
【０００８】
また、好適には、前記検出手段はグローバル・ポジショニング・システム（ＧＰＳ）衛星からのＧＰＳ信号を基に前記現在位置を検出し、前記検出手段が検出した現在位置を示す緯度経度情報と、前記緯度経度情報に対応する前記住所を提供する情報提供装置から提供された住所を対応付ける住所変換情報を記憶する記憶手段を有し、前記取得手段は、前記記憶手段が記憶する住所変換情報を基に、前記検出手段が検出した現在位置に対応する住所を取得する、ことを特徴とする。
【０００９】
また、好適には、前記取得手段は、前記記憶手段が記憶する住所変換情報に含まれる緯度経度情報と、前記検出手段が検出した前記現在位置に対応する緯度経度情報との差が、予め設定された範囲内の場合には、前記記憶手段が記憶する住所変換情報に基づいて前記検出手段が検出した現在位置に対応する住所を取得する、ことを特徴とする。
【００１０】
さらに、前記目的を達成するために、本発明の第２の観点のデータ処理方法は、携帯端末装置のデータ処理方法であって、検出された現在位置を基に当該現在位置に対する第１の文字情報を取得する第１のステップと、予め規定された第２の文字情報が漢字変換対象として入力されると、前記第１のステップで取得した前記第１の文字情報を前記第２の文字情報の変換候補として表示させる第２のステップと、を有することを特徴とする。
【発明の効果】
【００１１】
本発明によれば、煩雑な操作を行うことなく、現在地の住所を文字列として入力することができる携帯端末装置、および携帯端末装置のデータ処理方法を提供することができる。
【発明を実施するための最良の形態】
【００１２】
本発明の一実施形態に係る携帯端末装置は、例えば現在位置を検出するＧＰＳ無線部で検出された現在位置を基に当該現在位置に対する第１の文字情報を取得し、予め規定された第２の文字情報が漢字変換対象として入力されると、取得した第１の文字情報を第２の文字情報の変換候補として表示部に表示させる。
以下、図面を参照しながら詳細に説明する。
【００１３】
図１は、本発明の一実施形態に係る携帯端末装置を採用したデータ処理システムの全体構成図である。
本実施形態に係るデータ処理システム１は、例えば図１に示すように、携帯端末装置２、基地局３、および情報提供装置４を有する。
携帯端末装置２は、例えば電話機能、データ通信機能、ＧＰＳ機能を有するデータ処理装置である。具体的には、携帯端末装置２は、例えばいわゆる携帯電話や、ＰＤＡ（Personal Digital Assistant）等のデータ処理装置である。
携帯端末装置２は、例えば基地局３と無線方式のデータ通信を行い、通信ネットワーク５を介して他の携帯端末装置２や、情報提供装置４と通信を行う。
情報提供装置４は、例えば携帯端末装置２から送信された現在位置を示す緯度経度情報に対応する住所を提供する。
通信ネットワーク５は、例えばいわゆるインターネットや専用回線等のデータ通信路である。
【００１４】
本実施形態に係る携帯端末装置２は、例えば図１に示すように、通信制御部（通信部）２１、音声処理部２２、キー入力部（入力部）２３、表示部２４、ＧＰＳ無線部２５、地磁気センサ２６、メモリ２７、およびＣＰＵ（Central Processing Unit ）２８を主構成要素として有する。
通信部２１、音声処理部２２、入力部２３、表示部２４、ＧＰＳ無線部２５、地磁気センサ２６、メモリ２７、およびＣＰＵ２８は、バスＢＳにより接続されている。
表示部２４は本発明に係る表示手段に相当し、ＧＰＳ無線部２５は本発明に係る検出手段に相当し、メモリ２７は本発明に係る記憶手段に相当する。
【００１５】
通信制御部（通信部）２１は、ＣＰＵ２８の制御により、通信ネットワーク５を介してデータ通信を行い、処理結果をＣＰＵ２８に出力する。例えば通信部２１は、無線方式によりデータ通信を行う場合には、上述したように基地局３を介してデータ通信を行う。
【００１６】
音声処理部２２は、ＣＰＵ２８の制御により、例えば音データを基に増幅処理等の音声処理を行いスピーカ２２１から発音させる。また、音声処理部２２は、マイク２２２から入力された音データを音声処理してＣＰＵ２８に出力する。
【００１７】
入力部２３は、例えば、携帯端末装置２に備えられたテンキーやファンクションキー等のキーボードや、ポインティングデバイス等の入力装置であり、ユーザの操作に応じたデータをＣＰＵ２８に出力する。例えば入力部２３は、漢字変換に係る不図示の漢字変換開始キー、文字入力キー、漢字変換確定キー、移動キー等を備える。
【００１８】
表示部２４は、例えばＣＰＵ２８の制御により、文字データや画像データに応じた画面表示を行う。例えば表示部２４は液晶表示装置（ＬＣＤ：Liquid Crystal Display）や、有機ＥＬ（Electroluminescence ）等の表示装置である。
【００１９】
ＧＰＳ無線部２５は、ＣＰＵ２８の制御により、現在位置を検出し、検出結果をＣＰＵ２８に出力する。例えばＧＰＳ無線部２５は、ＧＰＳ衛星１００からのＧＰＳ信号を基に現在位置を検出し、検出結果をＣＰＵ２８に出力する。
具体的には、ＧＰＳ無線部２５は、ＧＰＳ衛星１００からのＧＰＳ信号を基に現在位置を検出し、検出結果として緯度経度情報をＣＰＵ２８に出力する。
【００２０】
地磁気センサ２６は、例えば地磁気を検出するセンサであり、検出結果をＣＰＵ２８に出力する。例えば地磁気センサ２６は携帯端末装置２の向きを検出する際に用いられる。
【００２１】
メモリ２７は、例えばＲＯＭ（Read only memory）、ＲＡＭ（Random Access Memory）、磁気ディスク等の記憶装置により構成され、例えばプログラムＰＲＧ、辞書情報ＤＤ、住所取得情報ＤＫ、住所変換情報ＤＡ、および履歴情報ＤＨ等を記憶する。
住所取得情報ＤＫは例えば本発明に係る第２の文字情報に相当する。住所変換情報ＤＡおよび履歴情報ＤＨは本発明に係る住所変換情報に相当する。
【００２２】
プログラムＰＲＧは、例えば本発明に係る機能を有し、ＣＰＵ２８により実行される。
辞書情報ＤＤは、文字列毎に、その文字列の変換候補文字列が予め関連付けられたデータである。
【００２３】
図２は、図１に示した携帯端末装置に設定されている住所取得情報の一具体例を説明するための図である。
住所取得情報ＤＫは、現在地の住所を取得するのに適切な読み仮名、例えば予め設定された、位置に関連した意味を示すかな文字列（仮名文字列）としての文字情報である。
本実施形態では、仮名文字（かな文字）は、例えば漢字変換の対象となる、ひらがな、カタカナ、英数字等の文字、数字、記号等を含むものとする。また、文字列とは複数の文字からなるものや、あるいは一文字からなるものを含むとする。
具体的には、住所取得情報ＤＫは、例えば図２に示すように、「ここ」、「げんざいち」、「げんざいいち」、「じゅうしょ」、…等の位置に関連した意味を示すかな文字列である。また、住所取得情報ＤＫは、ユーザが予め所望の文字列を設定することができる。
【００２４】
住所変換情報ＤＡは、例えばＧＰＳ無線部２５が検出した現在位置を示す緯度経度情報と、第１の文字情報としての住所や、現在位置を示す名称のいずれかを対応付けるデータである。
現在位置を示す名称は、例えば一般的な公共の目印の名称を含む文字列であり、具体的には横浜駅東口前、＊＊ビル前、＊＊公園前等の文字列である。
【００２５】
例えば携帯端末装置２は、住所変換情報ＤＡとして全ての緯度経度情報と住所を関連付けてメモリ２７に記憶するのではなく、一部の住所変換情報ＤＡを記憶する場合や住所変換情報ＤＡを記憶しない場合に、緯度経度情報に対応する住所を提供する情報提供装置４に通信ネットワーク５を介してアクセスして、必要な対応関係を示す情報を取得し履歴情報ＤＨとしてメモリ２７に記憶する。
【００２６】
図３は、図１に示した携帯端末装置が記憶する履歴情報の一具体例を示す図である。
履歴情報ＤＨは、例えば図３に示すように、日付情報ＤＨ１、緯度情報ＤＨ２、経度情報ＤＨ３、および住所情報ＤＨ４を有し、それぞれが関連付けられている。
日付情報ＤＨ１は、例えば情報提供装置４にアクセスして、緯度経度情報から住所を取得した際の日付を示すデータである。
緯度情報ＤＨ２および経度情報ＤＨ３は、ＧＰＳ無線部２５が検出した現在位置を示す緯度経度情報である。
住所情報ＤＨ４は、例えば情報提供装置４にアクセスして、緯度経度情報から住所を取得した際の住所を示すデータである。
【００２７】
メモリ２７には、情報提供装置４にアクセスして取得した緯度経度情報と住所を関連付けて履歴情報ＤＨを記憶するが、メモリ２７の容量が限られている場合には、例えば日付の古い順に削除して、新たにデータを記憶する。
【００２８】
図４は、図１に示した携帯端末装置の機能を説明するための機能ブロック図である。
ＣＰＵ２８は、装置全体を制御する。例えば、ＣＰＵ２８はメモリ２７をワークスペースとしてプログラムＰＲＧを実行することで、図４に示すように、取得部２８１、および制御部（変換部）２８２の機能を実現する。
【００２９】
取得部２８１は、ＧＰＳ無線部２５で検出された現在位置を基に当該現在位置に関して第１の文字情報を取得する。例えば第１の文字情報は、少なくともＧＰＳ無線部２５で検出された現在位置の住所、および検出された現在位置を示す名称のいずれかである。
【００３０】
また、取得部２８１は、例えば、ＧＰＳ無線部２５が検出した現在位置を示す緯度経度情報と第１の文字情報としての住所を対応付ける住所変換情報ＤＡを基に、ＧＰＳ無線部２５が検出した現在位置に対応する住所を取得する。
【００３１】
また、取得部２８１は、メモリ２７が記憶する住所変換情報ＤＡに含まれる緯度経度情報と、ＧＰＳ無線部２５が検出した現在位置に対応する緯度経度情報との差が、予め設定された範囲内の場合には、メモリ２７が記憶する住所変換情報ＤＡに基づいてＧＰＳ無線部２５が検出した現在位置に対応する住所を取得する。
取得部２８１は、例えば緯度経度情報において、予め設定された誤差範囲内、具体的には北緯＊＊'＊＊''＊＊'''の下１桁違い程度の誤差範囲内の場合には、新たに情報提供装置４に住所を問合わせ処理を行わずに、メモリ２７が記憶する住所変換情報ＤＡに基づいてＧＰＳ無線部２５が検出した現在位置に対応する住所を取得する。取得部２８１は、範囲外の場合には、情報提供装置４に住所を問合わせる。
【００３２】
取得部２８１による緯度経度情報の取得処理について説明する。
例えばＧＰＳ無線部２５は、ＧＰＳ衛星１００からＧＰＳ信号を受信して、ＧＰＳ信号を基に「衛星番号」，「衛星からの電波送信時の時刻」，「携帯端末装置で同じ電波を受信した時刻」を検出する。
ＧＰＳ無線部２５は、各ＧＰＳ衛星１００からのＧＰＳ信号の遅延時間それぞれを基に、各ＧＰＳ衛星１００からの距離を算出し、例えば３個またはそれ以上のＧＰＳ衛星について、３点測量を行うことで現在位置を検出する。なお、ＧＰＳ無線部２５は、時刻を特定できればＧＰＳ衛星１００の軌道は定まっているので、ＧＰＳ衛星１００の位置を特定することができる。
【００３３】
緯度経度情報への変換処理は、例えば本実施形態では取得部２８１が行う。
取得部２８１は、例えばＧＰＳ無線部２５が検出した現在位置、例えば遅延時間または３つの衛星からの距離に基づいて緯度経度情報を算出する。この処理の負荷が大きい場合には、取得部２８１は、例えばＧＰＳ無線部２５で検出された現在位置を、通信部２１を介して情報提供装置４に送信し、情報提供装置４が現在位置を示すデータから緯度経度情報に変換処理した結果を通信部２１で受信することで、緯度経度情報を取得してもよい。
【００３４】
また、取得部２８１は、例えば地磁気センサ２６による検出結果を基に携帯端末装置２の向きを方位で特定し、予め特定された緯度経度情報、携帯端末装置２の移動方向、および移動量を基に現在位置を示す緯度経度情報を取得してもよい。移動量については、例えばＧＰＳによる３点測量で、緯度経度までは特定できないが、その移動距離を特定する。
【００３５】
また、取得部２８１は、ＧＰＳ衛星１００からのＧＰＳ信号が受信できない場合には、複数の基地局３を用いた３点測量により緯度経度情報を取得してもよい。
具体的には、取得部２８１は、例えば通信部２１により少なくとも３つの基地局３を捕捉させ、この３つの基地局３からの電波の電界強度に基づいて、基地局３ベースでの３点測量を行うことで移動量を算出し、予め設定された基地局３自体の緯度経度と、算出結果に基づいて緯度経度情報を生成してもよい。
【００３６】
制御部（変換部）２８２は、入力部２３から入力された仮名文字列（かな文字列）を漢字文字列に変換する処理を行う。
また制御部２８２は、入力部２３から予め規定された住所取得情報ＤＫ（第２の文字情報）が漢字変換対象として入力されると、取得部２８１が取得した第１の文字情報を住所取得情報ＤＫの変換候補として表示部２４に表示させるよう制御する。
【００３７】
図５は、図１に示した携帯端末装置の動作を説明するためのフローチャートである。
ステップＳＴ１において、取得部２８１は、ＧＰＳ無線部２５により検出された現在位置を基に当該現在位置に対して第１の文字情報を取得する。
ステップＳＴ２において、制御部２８２は、予め規定された第２の文字情報が漢字変換対象として入力されると、ステップＳＴ１で取得した第１の文字情報を第２の文字情報の変換候補として表示部２４に表示させる。
【００３８】
図６は、図１に示した携帯端末装置の動作を説明するためのフローチャートである。図７は、図１に示した携帯端末装置の表示部が表示する画面の一具体例を示す図である。図６および図７を参照しながら、携帯端末装置の動作をより詳細に説明する。
【００３９】
ステップＳＴ１０１において、ＣＰＵ２８は、例えば入力部２３から文字入力を開始させる指示信号が入力された場合に、文字入力処理を開始する。
入力部２３から仮名文字列が入力されると（ＳＴ１０２）、ＣＰＵ２８は表示部２４に例えば図７（ａ）に示すように、文字入力領域２４１に仮名文字列ＣＨ１を白黒反転表示させることで、漢字変換対象である旨を示す表示を行わせる。本実施形態では図７（ａ）に示すように、仮名文字列ＣＨ１として「ここ」が入力された場合を図示する。
【００４０】
例えばユーザにより、入力部２３の不図示の漢字変換ボタンが操作され、入力部２３からその旨を示すデータが制御部２８２に入力されると、制御部２８２は漢字変換を開始する（ＳＴ１０３）。
ステップＳＴ１０４において、制御部２８２は、例えば、入力された読み仮名を示す文字列に、例えば図２に示す、予め規定された住所取得情報ＤＫが含まれているか否かを判別する。判別結果、住所取得情報ＤＫが含まれていない場合にはステップＳＴ１１３の処理に進み、通常の漢字変換処理、具体的には、入力された文字列に基づいて辞書ＤＤを検索し、この検索結果を基に複数の変換候補文字列を表示部２４に表示させる処理を行う。
【００４１】
一方、ステップＳＴ１０４の判別において、入力された読み仮名を示す文字列に、住所取得情報ＤＫが含まれている場合には、住所取得処理を行う。
【００４２】
具体的には、ステップＳＴ１０５において、ＣＰＵ２８はＧＰＳ機能が使用可能な状態であるか否かを判別する。例えばＧＰＳ無線部２５によりＧＰＳ衛星１００からのＧＰＳ信号が受信できるか否かを判別する。
ステップＳＴ１０５において、ＧＰＳ機能が使用不可状態である場合には、ステップＳＴ１１３の処理に進み、ＣＰＵ２８は通常の漢字変換処理を行う。
一方、ステップＳＴ１０５の判別において、ＧＰＳ機能が使用可能であると判別した場合には、取得部２８１は、ＧＰＳ無線部２５に現在位置を検出させる（ＳＴ１０６）。詳細には、例えばＧＰＳ無線部２５は、ＧＰＳ衛星１００からのＧＰＳ信号に基づいて位置情報として緯度経度情報を取得する。
【００４３】
ステップＳＴ１０７において、取得部２８１は、ＧＰＳ無線部２５が検出した位置情報と、例えば図３に示すメモリ２７が記憶する履歴情報ＤＨとを比較し、履歴情報ＤＨにＧＰＳ無線部２５が検出した位置情報と異なるか否か、具体的には履歴情報ＤＨにＧＰＳ無線部２５が検出した位置情報が含まれているか否かを判別する（ＳＴ１０８）。
【００４４】
ステップＳＴ１０８において、履歴情報ＤＨに含まれていないと判別した場合には、取得部２８１は、通信部２１を介してＧＰＳ無線部２５で検出された現在位置を示すデータを情報提供装置４に送信し、情報提供装置４により特定された現在位置に対応する住所を通信部２１で受信することで、現在位置に対応する住所を取得し（ＳＴ１０９）、ＧＰＳ無線部２５が検出した現在位置を示す緯度経度情報と、緯度経度情報に対応する住所を提供する情報提供装置４から提供された住所を対応付けて履歴情報ＤＨとしてメモリ２７に記憶し（ＳＴ１１０）、ステップＳＴ１１２の処理に進む。
【００４５】
一方、ステップＳＴ１０８の判別において、履歴情報ＤＨにＧＰＳ無線部２５が検出した位置情報が含まれていると判別した場合には、取得部２８１は、履歴情報ＤＨに基づいて、メモリ２７が記憶する履歴情報ＤＨを基に、ＧＰＳ無線部２５が検出した現在位置に対応する住所を取得し（ＳＴ１１１）、ステップＳＴ１１２の処理に進む。
【００４６】
ステップＳＴ１１２において、取得部２８１は、取得した第１の文字列である住所を制御部２８２に出力し、メモリ２７内の漢字変換候補バッファ２７１に格納する。
ステップＳＴ１１３において、制御部２８２は、入力部２３から入力された読み仮名文字列を基に、辞書情報ＤＤから変換候補文字列を検索して、検索結果を漢字変換候補バッファ２７１に格納する。
ステップＳＴ１１４において、制御部２８２は、漢字変換候補バッファ２７１を基に、取得部２８１が取得した住所を示す文字情報を、入力部２３から入力された第２の文字情報の変換候補として表示部２４に表示させるよう制御する。
【００４７】
具体的には、例えば制御部２８２は表示部２４に、例えば図７（ｂ）に示すように、画面上部に文字入力領域２４１を表示させ、画面下部に変換候補文字表示領域２４２を表示させる。
具体的には、例えば図７（ｂ）に示すように、変換候補文字表示領域２４２には、「ここ、個々、此処、個個、茲、呱々、戸々、呱呱、ココ、…」を表示させ、さらに現在地に対応する住所を示す文字情報、例えば「神奈川県横浜市…」等を表示させる。
【００４８】
ユーザは、例えば入力部２３を操作して、例えば図７（ｂ）に示すように、変換候補文字表示領域２４２に表示された変換候補文字の一覧の内から、反転表示するカーソルＣＲＳを移動させて、所望の確定したい候補文字が表示されている位置に移動させ、入力部２３の不図示の確定ボタンを操作して、所望の確定したい候補文字を選択することにより、変換候補を確定する。
【００４９】
具体的には、制御部２８２は、例えばユーザの操作により入力部２３から、図７（ｂ）に示す反転表示するカーソルＣＲＳを移動させる指示信号が入力されると、変換候補文字表示領域２４２に表示された変換候補文字の一覧の内で、カーソルＣＲＳを移動表示させ、入力部２３から確定を示す信号が入力されると、そのカーソルＣＲＳと重なり表示されている文字を変換候補として確定する。
例えば、図７（ｃ）に示すように、カーソルＣＲＳが現在地の住所を示す文字列と重なり表示され、入力部２３から確定を示す信号が入力されると、図７（ｄ）に示すように、表示部２４に現在地の住所を示す文字列を表示させる。
【００５０】
図８は、図１に示した携帯端末装置の住所取得に関する動作を説明するための図である。図８を参照しながら、携帯端末装置２がＧＰＳ無線部が検出した現在位置から、情報提供装置４にアクセスして、住所情報を取得する際の動作の一具体例を説明する。
【００５１】
ステップＳＴ２０１において、ＣＰＵ２８は、通信部２１に、通信ネットワーク５を介して情報提供装置４に通信許可要求を示す信号を送信させる。情報提供装置４は、その通信許可要求を示す信号を受信すると、通信許可を示す信号を携帯端末装置２に送信する（ＳＴ２０２）。
ステップＳＴ２０３において、ＣＰＵ２８は、通信部２１でその通信許可を示す信号を受けると、ＧＰＳ無線部２５で検出した現在位置を示す位置情報、例えば緯度経度情報を情報提供装置４に送信させる。情報提供装置４は、その信号を受信すると、受信完了を示す信号を携帯端末装置２に送信する（ＳＴ２０４）。
ステップＳＴ２０５において、情報提供装置４は、現在位置を示す位置情報を基に、その現在位置に対応した住所情報を示す信号を携帯端末装置２に送信する。携帯端末装置２の取得部２８１では、通信部２１で住所情報を受信すると、受信完了を示す信号、および通信切断要求を示す信号を送信する（ＳＴ２０６，ＳＴ２０７）。
ステップＳＴ２０８において、情報提供装置４は、通信切断要求を示す信号を受信すると、通信切断許可を示す信号を携帯端末装置２に送信する。携帯端末装置２では、その通信切断許可を示す信号を受信すると、情報提供装置４と通信処理を終了する。
【００５２】
以上説明したように、現在位置を検出するＧＰＳ無線部２５と、表示部２４と、ＧＰＳ無線部２５で検出された現在位置を基に当該現在位置に対して第１の文字情報を取得する取得部２８１と、入力されたかな文字列を漢字文字列に変換する処理を行い、予め規定された第２の文字情報が漢字変換対象として入力されると、取得部２８１が取得した第１の文字情報を第２の文字情報の変換候補として表示部２４に表示させるよう制御する制御部２８２とを設けたので、表示された第１の文字情報を確定させることで、煩雑な操作を行うことなく、現在地の住所を文字列として入力することができる。
【００５３】
また、グローバル・ポジショニング・システム（ＧＰＳ）衛星からのＧＰＳ信号を基に現在位置を検出するＧＰＳ無線部２５を設け、取得部２８１は、ＧＰＳ無線部２５が検出した現在位置を示す緯度経度情報と第１の文字情報としての住所を対応付ける住所変換情報ＤＡを基に、ＧＰＳ無線部２５が検出した現在位置に対応する住所を取得するので、高精度で現在位置を特定し、特定された現在位置に対応する住所を正確に、変換候補として表示することができる。
【００５４】
また、ウェブサイトにアクセスした際に現在位置の住所入力を求められた場合や、電子メールの文章を作成中に現在位置の住所を入力する場合には、ユーザは「ここ」と文字列を入力するだけで、現在位置の住所が変換候補文字列として表示され、ユーザが現在いる場所の住所を知らなくても、住所を示す文字列を、変換候補文字列として表示するができる。
【００５５】
また、本実施形態に係る携帯端末装置２は、位置情報を緯度経度ベースで管理する。緯度経度が今まで持っている住所情報に関連付けて保存される緯度経度と一致、もしくは誤差の範囲内、例えば、北緯＊＊'＊＊''＊＊'''の下１桁違い程度の誤差範囲ないの場合には、新たに情報提供装置４に住所を問い合わせる動作を行わないので、情報提供装置４にアクセスする回数を軽減することができる。
【００５６】
なお、本発明は本実施形態に限られるものではなく、任意好適な改変が可能である。
例えば、本実施形態では３点測量は携帯端末装置２が行ったが、この形態に限られるものではない。ＧＰＳ無線部２５が検出した信号を示すデータを情報提供装置４に送信し、情報提供装置４にて３点測量処理を行わせることで現在位置を示す緯度経度情報を取得してもよい。
【００５７】
また、例えば、ユーザが会社にて「ここ」と文字列を入力して現在位置に対応する住所を表示させ、その住所を示す文字列と「会社」，「かいしゃ」等の文字列とを辞書情報ＤＤに保存し、同様にユーザが家にて「ここ」と文字列を入力して現在位置に対応する住所を表示させ、その住所を示す文字列と「家」，「いえ」等の文字列とを辞書情報ＤＤに保存することにより、「会社」や「かいしゃ」と文字列が入力された場合には、制御部２８２は会社の現在住所を表示し、「家」や「いえ」と文字列が入力された場合には家の住所を示す文字列を表示させることで、ユーザにとって使い勝手のよい漢字変換処理を行うことができる。
つまり履歴情報ＤＨと、ユーザにより設定された所望の文字列とを関連付けてメモリ２７に記憶し、制御部２８２は、ユーザにより設定された文字列が入力された場合に、履歴情報ＤＨを基に、その文字列と関連付けられた住所を変換候補文字列として表示させてもよい。
【図面の簡単な説明】
【００５８】
【図１】本発明の一実施形態に係る携帯端末装置を採用したデータ処理システムの全体構成図である。
【図２】図１に示した携帯端末装置に設定されている住所取得情報の一具体例を説明するための図である。
【図３】図１に示した携帯端末装置が記憶する履歴情報の一具体例を示す図である。
【図４】図１に示した携帯端末装置の機能を説明するための機能ブロック図である。
【図５】図１に示した携帯端末装置の動作を説明するためのフローチャートである。
【図６】図１に示した携帯端末装置の動作を説明するためのフローチャートである。
【図７】図１に示した携帯端末装置の表示部が表示する画面の一具体例を示す図である。
【図８】図１に示した携帯端末装置の住所取得に関する動作を説明するための図である。
【符号の説明】
【００５９】
１…データ処理システム、２…携帯端末装置、３…基地局、４…情報提供装置、５…通信ネットワーク、２１…通信制御部（通信部）、２２…音声処理部、２３…キー入力部（入力部）、２４…表示部、２５…ＧＰＳ無線部、２６…地磁気センサ、２７…メモリ、２８…ＣＰＵ（Central Processing Unit ）、１００…ＧＰＳ衛星、２２１…スピーカ、２２２…マイク、２４１…文字入力領域、２４２…変換候補文字表示領域、２７１…漢字変換候補バッファ、２８１…取得部、２８２…制御部（変換部）、ＢＳ…バス、ＰＲＧ…プログラム。
【図１】
2005165460.tif 000003
【図２】
2005165460.tif 000004
【図３】
2005165460.tif 000005
【図４】
2005165460.tif 000006
【図５】
2005165460.tif 000007
【図６】
2005165460.tif 000008
【図７】
2005165460.tif 000009
【図８】
2005165460.tif 000010